(57)【特許請求の範囲】
【請求項１】
フィルタ（５０）と、
前記フィルタに付着した塵埃を除去する塵埃除去機構（７０）及び前記塵埃除去機構により除去された塵埃を収容するダスト収容部（６１）を有し、前記ダスト収容部に溜まった塵埃を除去するため着脱可能に構成されている、前記フィルタに沿って移動する掃除ユニット（６０）と、
前記掃除ユニットの移動方向における前記フィルタの端部近傍に配置され、前記フィルタから落下する塵埃を受ける塵埃受け部（８０，９１）と、
を備え、
前記掃除ユニットは、前記フィルタの上方を前後に移動し、
前記塵埃受け部は、前記フィルタの前方端部近傍に配置される前方側塵埃受け部（８０）を含み、
前記掃除ユニットが可動範囲の前方側端部に位置する時に、前記掃除ユニットの少なくとも一部が、前記前方側塵埃受け部の内部に収容される、
空調室内機（１００）。
【請求項２】
フィルタ（５０）と、
前記フィルタに付着した塵埃を除去する塵埃除去機構（７０）及び前記塵埃除去機構により除去された塵埃を収容するダスト収容部（６１）を有し、前記ダスト収容部に溜まった塵埃を除去するため着脱可能に構成されている、前記フィルタに沿って移動する掃除ユニット（６０）と、
前記掃除ユニットの移動方向における前記フィルタの端部近傍に配置され、前記フィルタから落下する塵埃を受ける塵埃受け部（８０，９１）と、
を備え、
前記掃除ユニットは、前記フィルタの上方を前後に移動し、
前記塵埃受け部は、前記フィルタの後方端部近傍に配置される後方側塵埃受け部（９１）を含む、
空調室内機（１００）。
【請求項３】
前記塵埃受け部（８０）は、着脱可能に構成される、
請求項１又は２に記載の空調室内機。
【請求項４】
前記塵埃受け部（９１）は、着脱不能に構成される、
請求項１又は２に記載の空調室内機。
【請求項５】
前記塵埃受け部は、前記フィルタの端部（５３）が係止されるフィルタ係止機構（８４）を有する、
請求項１から４のいずれか１項に記載の空調室内機。
【発明の詳細な説明】
【技術分野】
【０００１】
本発明は、空調室内機、特に、フィルタに付着した塵埃を除去する塵埃除去機構及び塵埃除去機構により除去された塵埃を収容するダスト収容部を有し、フィルタに沿って移動する掃除ユニットを備えた空調室内機に関する。
【背景技術】
【０００２】
従来、特許文献１（特開２００８−２９９１２号公報）のように、フィルタの自動掃除機能を備える空調室内機が知られている。
【０００３】
特許文献１（特開２００８−２９９１２号公報）の空調室内機は、フィルタの塵埃を除去する塵埃除去機構と、塵埃除去機構により除去された塵埃を収容するダスト収容部と、を有する掃除ユニットを備える。掃除ユニットは、フィルタに対して移動し、その移動中にフィルタに付着した塵埃を塵埃除去機構により除去し、除去した塵埃をダスト収容部に収容する。
【発明の概要】
【発明が解決しようとする課題】
【０００４】
しかし、特許文献１（特開２００８−２９９１２号公報）の構成では、塵埃除去機構により除去された塵埃の一部が飛散し、ダスト収容部へと収容されることなく空調室内機内の部材間の隙間等に落下するおそれがあり、清掃性に関して更なる改善の余地がある。
【０００５】
本発明の課題は、フィルタに対して移動するフィルタの掃除ユニットを備えた空調室内機であって、清掃性に優れた空調室内機を提供することにある。
【課題を解決するための手段】
【０００６】
本発明の第１観点に係る空調室内機は、フィルタと、掃除ユニットと、フィルタから落下する塵埃を受ける塵埃受け部と、を備える。掃除ユニットは、塵埃除去機構と、ダスト収容部と、を有する。塵埃除去機構は、フィルタに付着した塵埃を除去する。ダスト収容部は、塵埃除去機構により除去された塵埃を収容する。掃除ユニットは、ダスト収容部に溜まった塵埃を除去するため着脱可能に構成されている。掃除ユニットは、フィルタに沿って移動する。塵埃受け部は、掃除ユニットの移動方向におけるフィルタの端部近傍に配置される。掃除ユニットは、フィルタの上方を前後に移動する。塵埃受け部には、フィルタの前方端部近傍に配置される前方側塵埃受け部を含む。掃除ユニットが可動範囲の前方側端部に位置する時に、掃除ユニットの少なくとも一部が、前方側塵埃受け部の内部に収容される。
【０００７】
塵埃受け部がフィルタの端部近傍に配置されるとは、塵埃受け部がフィルタの端部に隣接して配置される場合、及び、塵埃受け部がフィルタの端部の下方に配置される場合を含む。
【０００８】
本発明の第１観点に係る空調室内機は、掃除ユニットのダスト収容部に加え、フィルタの端部近傍に配置される塵埃受け部を備える。そのため、ダスト収容部に収容されなかった塵埃も空調室内機内の部材間の隙間等に落下させることなく捉えることができ、清掃性に優れた空調室内機を実現できる。
【０００９】
また、本発明の第１観点に係る空調室内機では、フィルタの前方側に落下する塵埃を、空調室内機内の部材間の隙間等に落下させることなく前方側塵埃受け部により捉えることができ、清掃性に優れた空調室内機を実現できる。
【００１０】
さらに、本発明の第１観点に係る空調室内機では、掃除ユニットが可動範囲の前方側端部に位置する時に、少なくともその一部が前方側塵埃受け部の内部に配置される。そのため、塵埃除去機構により除去されて掃除ユニットに付着した塵埃も、空調室内機内の部材間の隙間等に落下させることなく前方側塵埃受け部により捉えることができ、清掃性に優れた空調室内機を実現できる。
【００１１】
本発明の第２観点に係る空調室内機は、フィルタと、掃除ユニットと、フィルタから落下する塵埃を受ける塵埃受け部と、を備える。掃除ユニットは、塵埃除去機構と、ダスト収容部と、を有する。塵埃除去機構は、フィルタに付着した塵埃を除去する。ダスト収容部は、塵埃除去機構により除去された塵埃を収容する。掃除ユニットは、ダスト収容部に溜まった塵埃を除去するため着脱可能に構成されている。掃除ユニットは、フィルタに沿って移動する。塵埃受け部は、掃除ユニットの移動方向におけるフィルタの端部近傍に配置される。掃除ユニットは、フィルタの上方を前後に移動する。塵埃受け部は、フィルタの後方端部近傍に配置される後方側塵埃受け部を含む。
【００１２】
本発明の第２観点に係る空調室内機では、フィルタの後方側に落下する塵埃を、空調室内機内の部材間の隙間等に落下させることなく後方側塵埃受け部により捉えることができ、清掃性に優れた空調室内機を実現できる。
【００１３】
本発明の第３観点に係る空調室内機は、第１観点又は第２観点に係る空調室内機であって、塵埃受け部は、着脱可能に構成される。
【００１４】
本発明の第３観点に係る空調室内機では、塵埃受け部が着脱可能に構成されているため、塵埃受け部に溜まった塵埃を除去することが容易である。
【００１５】
本発明の第４観点に係る空調室内機は、第１観点又は第２観点に係る空調室内機であって、塵埃受け部は、着脱不能に構成される。
【００１６】
本発明の第４観点に係る空調室内機では、塵埃受け部が着脱不能に構成されているため、メンテナンス時の塵埃受け部の取外しが不要で、メンテナンスを簡易化できる。
【００１７】
なお、塵埃受け部が着脱不能に構成される場合には、塵埃受け部に溜まった塵埃を、掃除機等により吸引除去可能であることが好ましい。
【００１８】
本発明の第５観点に係る空調室内機は、第１観点から第４観点のいずれかに係る空調室内機であって、塵埃受け部は、フィルタの端部が係止されるフィルタ係止機構を有する。
【００１９】
本発明の第５観点に係る空調室内機では、塵埃受け部にフィルタの端部が係止されるため、塵埃受け部とフィルタとを隙間なく配置することが容易である。そのため、塵埃を、空調室内機内の部材間の隙間等に落下させることなく塵埃受け部により捉えることができ、清掃性に優れた空調室内機を実現できる。
【発明の効果】
【００２０】
本発明の第１観点に係る空調室内機では、掃除ユニットのダスト収容部に加え、フィルタの端部近傍に配置される塵埃受け部を備える。そのため、ダスト収容部に収容されなかった塵埃も空調室内機内の部材間の隙間等に落下させることなく捉えることができ、清掃性に優れた空調室内機を実現できる。
【００２１】
また、本発明の第１観点に係る空調室内機では、フィルタの前方側に落下する塵埃を捉えることができ、清掃性に優れた空調室内機を実現できる。
【００２２】
本発明の第２観点に係る空調室内機では、フィルタの後方側に落下する塵埃を捉えることができ、清掃性に優れた空調室内機を実現できる。
【００２３】
本発明の第３観点に係る空調室内機では、塵埃受け部が着脱可能に構成されているため、塵埃受け部に溜まった塵埃を除去することが容易である。
【００２４】
本発明の第４観点に係る空調室内機では、塵埃受け部が着脱不能に構成されているため、メンテナンス時の塵埃受け部の取外しが不要で、メンテナンスを簡易化できる。
【００２５】
本発明の第５観点に係る空調室内機では、清掃性に優れた空調室内機を実現できる。
【図面の簡単な説明】
【００２６】
【図１】本発明の一実施形態に係る空調室内機を有する空気調和装置の外観を示す斜視図である。
【図２】図１の空気調和装置の構成の概要を示す回路図である。
【図３】図１の空調室内機の外観を示す斜視図である。
【図４】図３の空調室内機のIV−IV断面矢視の断面図である。
【図５】図３の空調室内機のフィルタガイドフレーム、フィルタ、及び前方側サブダストボックスを描画した分解図である。
【図６】図３の空調室内機のフィルタの斜視図である。
【図７】図３の空調室内機の掃除ユニットの外観を示す斜視図である。
【図８】図７の掃除ユニットのVIII−VIII断面矢視の断面図である。
【図９】図７の掃除ユニットの塵埃除去機構の第１状態と第２状態との切り換えについて説明するための図である。掃除ユニットと凸リブの設けられたフィルタとを拡大して描画している。図９は、掃除ユニットと凸リブの設けられたフィルタとを、図３における右側方から見た図である。
【図１０Ａ】送風運転中の図３の空調室内機の斜視図である。掃除ユニットの位置を示すため、前面パネルを省略して描画している。後方側に二点鎖線で描画された掃除ユニットは、掃除ユニットの可動範囲を示すことを目的としており、送風運転中の掃除ユニットの位置を示すものではない。送風運転中には、実線で描画した位置に掃除ユニットは位置している。
【図１０Ｂ】運転停止中の図３の空調室内機の斜視図である。掃除ユニットの位置を示すため、前面パネルを省略して描画している。後方側に二点鎖線で描画された掃除ユニットは、掃除ユニットの可動範囲を示すことを目的としており、運転停止中の掃除ユニットの位置を示すものではない。運転停止中には、実線で描画した位置に掃除ユニットは位置している。
【図１１】図１０Ｂの運転停止中の空調室内機の掃除ユニット周辺の拡大斜視図である。
【図１２】図７の掃除ユニットを移動させるユニット駆動部の斜視図である。
【発明を実施するための形態】
【００２７】
以下に、本発明の一実施形態に係る空調室内機１００について、図面を参照しながら説明する。なお、以下の実施形態は、例示に過ぎず、本発明の趣旨を逸脱しない範囲で、適宜変更可能である。
【００２８】
（１）空調室内機を有する空気調和装置の構成の概要
本発明の一実施形態に係る空調室内機１００を有する空気調和装置１の構成の概要につい説明する。
【００２９】
空気調和装置１は、室内の壁ＷＬ（図４参照）などに取り付けられる空調室内機１００と、屋外に設置される空調室外機２と、を主に備えている（図１参照）。空調室内機１００と空調室外機２とは、連絡配管３によって接続されている。
【００３０】
空調室外機２は、圧縮機１１、四路切換弁１２、室外熱交換器１３、膨張機構１４、アキュムレータ１５、室外ファン２１、及び室外側制御部２４を主に有する（図２参照）。空調室内機１００は、室内熱交換器１６、室内ファン３１、及び室内側制御部３４を有する（図２参照）。空調室内機１００が有する他の構成については後述する。
【００３１】
空気調和装置１は、空調室内機１００と空調室外機２とが連絡配管３によって接続されることで、冷媒回路１０を構成する（図２参照）。冷媒回路１０内で冷媒を循環させることで、蒸気圧縮式冷凍サイクルが行われる。冷媒回路１０は、圧縮機１１、四路切換弁１２、室外熱交換器１３、膨張機構１４、アキュムレータ１５、及び室内熱交換器１６を主に有する（図２参照）。
【００３２】
圧縮機１１は、吸入管から吸入口を通じて冷媒を吸入し、吸入した冷媒を圧縮する。圧縮された冷媒は、圧縮機１１の吐出口から吐出される。圧縮機１１から吐出された冷媒は、吐出管を介して四路切換弁１２の第１ポート１２ａへと送られる。
【００３３】
四路切換弁１２は、冷媒の流れ方向を切り換える機構である。空気調和装置１が冷房運転を行う時には、四路切換弁１２は、実線で示されているように、第１ポート１２ａと第２ポート１２ｂとの間で冷媒を流通させると同時に、第３ポート１２ｃと第４ポート１２ｄとの間で冷媒を流通させる。空気調和装置１が暖房運転を行う時には、四路切換弁１２は、破線で示されているように、第１ポート１２ａと第４ポート１２ｄとの間で冷媒を流通させると同時に、第２ポート１２ｂと第３ポート１２ｃとの間で冷媒を流通させる。
【００３４】
室外熱交換器１３は、四路切換弁１２の第２ポート１２ｂとの間で主にガス冷媒を流通させるためのガス側出入口と、膨張機構１４との間で主に液冷媒を流通させるための液側出入口と、を有している。室外熱交換器１３は、室外熱交換器１３の液側出入口とガス側出入口との間に接続された伝熱管（図示せず）を流れる冷媒と室外空気との間で熱交換を行なわせる。空気調和装置１が冷房運転を行う時には、室外熱交換器１３は、伝熱管中の冷媒を冷却して凝縮させる凝縮器として機能する。空気調和装置１が暖房運転を行う時には、室外熱交換器１３は、伝熱管中の冷媒を加熱して蒸発させる蒸発器として機能する。
【００３５】
室外ファン２１は、室外熱交換器１３を通過する室外空気の気流を発生させ、室外熱交換器１３における冷媒と室外空気との熱交換を促進する。
【００３６】
膨張機構１４は、室外熱交換器１３と室内熱交換器１６とを接続する冷媒配管に設けられている。膨張機構１４は、室外熱交換器１３と室内熱交換器１６との間を流れる冷媒を膨張させ、減圧する機能を有している。
【００３７】
室内熱交換器１６は、膨張機構１４との間で主に液冷媒を流通させるための液側出入口と、四路切換弁１２の第４ポート１２ｄとの間で主にガス冷媒を流通させるためのガス側出入口と、を有している。室内熱交換器１６は、室内熱交換器１６の液側出入口とガス側出入口との間に接続された伝熱管１６ａ（図４参照）を流れる冷媒と室内空気との間で熱交換を行なわせる。空気調和装置１が冷房運転を行う時には、室内熱交換器１６は、伝熱管１６ａ中の冷媒を蒸発させる蒸発器として機能し、冷媒と熱交換する室内空気を冷却する。空気調和装置１が暖房運転を行う時には、室内熱交換器１６は、伝熱管１６ａ中の冷媒を凝縮させる凝縮器として機能し、冷媒と熱交換する室内空気を加熱する。
【００３８】
室内ファン３１は、室内熱交換器１６を通過する室内空気の気流を発生させ、室内熱交換器１６における冷媒と室内空気との熱交換を促進する。
【００３９】
四路切換弁１２の第３ポート１２ｃと圧縮機１１の吸入口とを接続する吸入管には、アキュムレータ１５が設けられている。アキュムレータ１５では、四路切換弁１２の第３ポート１２ｃから圧縮機１１に流れる冷媒が、ガス冷媒と液冷媒とに分離される。アキュムレータ１５から圧縮機１１の吸入口には、主にガス冷媒が供給される。
【００４０】
室外側制御部２４は、例えばＣＰＵ（図示せず）とメモリ（図示せず）とを有する。室外側制御部２４は、メモリに記憶されているプログラム等に従って空調室外機２の動作の制御を行うよう構成されている。室外側制御部２４は、空調室外機２が有する、圧縮機１１、四路切換弁１２、膨張機構１４及び室外ファン２１等と電気的に接続されている。また、室外側制御部２４は、室外空気の温度を測定するための室外温度センサ（図示せず）や、室外熱交換器１３の温度を測定するための室外熱交換器用温度センサ（図示せず）と電気的に接続されている。さらに、室外側制御部２４は、空調室内機１００の動作の制御を行う室内側制御部３４と電気的に接続されている。室外側制御部２４は、室外温度センサ及び室外熱交換器用温度センサの測定結果や、室内側制御部３４から送信される信号等に基づいて、圧縮機１１、四路切換弁１２、膨張機構１４及び室外ファン２１等の動作を制御する。
【００４１】
室内側制御部３４は、例えばＣＰＵ（図示せず）とメモリ（図示せず）とを有する。室内側制御部３４は、メモリに記憶されているプログラム等に従って空調室内機１００の動作の制御を行うよう構成されている。室内側制御部３４は、空調室内機１００が有する、室内ファン３１、後述する掃除ユニット６０のユニット駆動部６５のモータ６９、及び後述する水平フラップ４３や垂直フラップ４９を駆動するモータ等と電気的に接続されている。また、室内側制御部３４は、室内空気の温度を測定するための室内温度センサ（図示せず）や、室内熱交換器１６の温度を測定するための室内熱交換器用温度センサ（図示せず）と電気的に接続されている。さらに、室内側制御部３４は、空調室外機２の動作の制御を行う室外側制御部２４と電気的に接続されている。室内側制御部３４は、室外温度センサ及び室外熱交換器用温度センサの測定結果、室外側制御部２４から送信される信号、図示しないリモコンから送信される空気調和装置１のユーザの指令等に基づいて、室内ファン３１、モータ６９、フラップ４３，４９を駆動するモータ等の動作を制御する。
【００４２】
（２）空調室内機
空調室内機１００について説明する。
【００４３】
なお、空調室内機１００に関する説明では、位置や方向を説明するために、前（正面）、後（背面）、左、右、上、下等の表現を用いる場合があるが、これらの記載は、特記無き場合、図に付した矢印に従うものとする。
【００４４】
（２−１）空調室内機の概要構成
図３は、空調室内機１００の斜視図である。図４は、空調室内機１００の、図３におけるIV-IV断面矢視の断面図である。空調室内機１００は、壁掛け式である。空調室内機１００の後部が、壁ＷＬに取り付けられる（図４参照）。
【００４５】
空調室内機１００は、吹出口４６（図４参照）から風を吹き出す通風運転を行う。通風運転には、冷房運転、暖房運転、及び送風運転を含む。冷房運転では、空調室内機１００は、室内熱交換器１６の伝熱管１６ａを流れる冷媒と熱交換することで冷却された室内空気を吹出口４６から吹き出し、室内空間ＲＳの冷房を行う。暖房運転では、空調室内機１００は、室内熱交換器１６の伝熱管１６ａを流れる冷媒と熱交換することで加熱された室内空気を吹出口４６から吹き出し、室内空間ＲＳの暖房を行う。送風運転では、空調室内機１００は、冷媒と室内空気とを熱交換させることなく（冷媒回路１０中に冷媒を循環させることなく）、吹出口４６から室内空間ＲＳに室内空気を吹き出す。なお、空調室内機１００は、通風運転として、冷房運転、暖房運転、及び送風運転の全てを実行するものでなくてもよく、例えば、冷房運転だけを通風運転として行うものであってもよい。
【００４６】
空調室内機１００は、ケーシング４０と、室内熱交換器１６と、室内ファン３１と、フィルタ５０と、フィルタ支持フレーム９０と、掃除ユニット６０と、前方側サブダストボックス８０とを備えている（図４参照）。
【００４７】
（２−２）空調室内機の詳細構成
（２−２−１）ケーシング
ケーシング４０は、横方向（左右方向）に長く延びる、概ね直方体形状を呈する（図３参照）。ケーシング４０の背面側が壁ＷＬに設けられた取付板（図示せず）に取り付けられることで、空調室内機１００が壁ＷＬに設置される。ケーシング４０は、その内部に室内熱交換器１６、室内ファン３１、フィルタ５０、フィルタ支持フレーム９０、掃除ユニット６０、及び前方側サブダストボックス８０等を収容する（図４参照）。
【００４８】
ケーシング４０は、図３に示すように、空調室内機１００の前面を覆う前面板４１と、空調室内機１００の右側面及び左側面をそれぞれ覆う２つの側面板４２と、を有する（図３参照）。前面板４１の上端は、ヒンジ（図示せず）により２つの側面板４２と接続されている。前面板４１は、ヒンジにより回動可能に構成されている。空調室内機１００の前面を覆っている前面板４１が、その下端が前方上方に移動するように回動させられることで、ケーシング４０の前面側が開放される。ケーシング４０の前面側が開放された状態では、空調室内機１００の前方側から、掃除ユニット６０及び前方側サブダストボックス８０のメンテナンスを行うことが可能である。より具体的には、ケーシング４０の前面側が開放されることで、空調室内機１００の前方側から、掃除ユニット６０及び前方側サブダストボックス８０を、ケーシング４０の外部に取り出すことが可能である。
【００４９】
ケーシング４０内部の上方側には、フィルタ５０が配置されている（図４参照）。フィルタ５０は、図４のように、側面視において逆Ｕ字状に形成されている。フィルタ５０は、フィルタ支持フレーム９０（図４参照）により、主に下方側から支持されている。フィルタ支持フレーム９０も、図４のように、側面視において逆Ｕ字状に形成されている。フィルタ５０及びフィルタ支持フレーム９０の下方には、室内熱交換器１６が配置されている（図４参照）。室内熱交換器１６も、図４のように、側面視において逆Ｕ字状に形成されている。フィルタ５０は、側面視において室内熱交換器１６を上から覆うように配置されている（図４参照）。室内熱交換器１６の内面側には、室内ファン３１が配置されている。室内熱交換器１６は、図４のように、側面視において、室内ファン３１を上から覆うように配置されている。フィルタ５０の外面側（室内熱交換器１６の配置される側とは反対側）と、ケーシング４０の前面板４１との間には、後述する掃除ユニット６０が移動する掃除ユニット移動空間Ｓ１が形成される（図１参照）。
【００５０】
ケーシング４０の上面には、上面吸込口４４が設けられている。室内ファン３１が駆動されると、上面吸込口４４近傍の室内空気が上面吸込口４４からケーシング４０の内部へと取り込まれる。上面吸込口４４から取り込まれた空気は、フィルタ５０を通過して室内熱交換器１６に送られる。
【００５１】
ケーシング４０の下面には、下面吸込口４５と、吹出口４６とが形成されている。
【００５２】
下面吸込口４５は、吹出口４６よりも後方側（壁ＷＬ側）に設けられている。下面吸込口４５は、ケーシング４０の内部に形成された吸込流路４７を介して、フィルタ５０の上方の空間と連通する。室内ファン３１が駆動されると、下面吸込口４５近傍の室内空気が下面吸込口４５からケーシング４０の内部に形成された吸込流路４７へと取り込まれ、フィルタ５０を通過して室内熱交換器１６へと送られる。下面吸込口４５には、下面吸込口４５の開閉を行うための開閉板４５ａが設けられている。
【００５３】
吹出口４６は、下面吸込口４５よりも前方側に設けられている。吹出口４６は、ケーシング４０の内部に形成された吹出流路４８と連通する。冷房運転時及び暖房運転時には、上面吸込口４４及び下面吸込口４５から吸い込まれ室内空気が、室内熱交換器１６において冷媒と熱交換した後、吹出流路４８を通って吹出口４６から室内空間ＲＳへと吹き出される。送風運転時には、上面吸込口４４及び下面吸込口４５から吸い込まれ室内空気が、室内熱交換器１６において冷媒と熱交換することなく、吹出流路４８を通って吹出口４６から室内空間ＲＳへと吹き出される。
【００５４】
吹出口４６付近には、２枚の水平フラップ４３がケーシング４０に対して回動可能に取り付けられている。水平フラップ４３は、フラップ駆動用モータ（図示せず）によって回動し、空調室内機１００の運転状態に応じて吹出口４６を開閉する。さらに、水平フラップ４３は、吹出口４６から吹き出された空気がユーザの所望する方向へと案内されるように、室内空気の吹き出し方向を上向き／下向きに変更する機能を有する。
【００５５】
また、吹出口４６付近には、垂直フラップ４９がケーシング４０に対して回動可能に取り付けられている。垂直フラップ４９は、フラップ駆動用モータ（図示せず）によって回動し、室内空気の吹き出し方向を左向き／右向きに変更する機能を有する。
【００５６】
（２−２−２）室内熱交換器
室内熱交換器１６は、主に、複数のフィン（図示せず）と、複数のフィンを貫く複数の伝熱管１６ａとで構成されている。室内熱交換器１６は、空気調和装置１の運転状態に応じて蒸発器または凝縮器として機能し、伝熱管１６ａの中を流れる冷媒と室内熱交換器１６を通過する空気との間で熱交換を行わせる。
【００５７】
室内熱交換器１６は、図４に示されるように、側面視において、下向きに開口する逆Ｕ字型の形状を有している。つまり、室内熱交換器１６は、側面視において、両端（前端及び後端）が下方に配置され、中央部が上方に位置するように屈曲する（図４参照）。室内熱交換器１６は、上から室内ファン３１を覆うように配置されている。また、室内熱交換器１６は、側面視において逆Ｕ字型の形状を有するフィルタ５０及びフィルタ支持フレーム９０の下方に配置される。フィルタ５０及びフィルタ支持フレーム９０は、室内熱交換器１６を上方から囲むように配置されている（図４参照）。
【００５８】
（２−２−３）室内ファン
室内ファン３１は、図４に示されているように、ケーシング４０の内部の中央部に位置している。室内ファン３１は、空調室内機１００の長手方向（左右方向）に細長く延びる円筒形状のクロスフローファンである。室内ファン３１が回転駆動されることによって、室内空気が上面吸込口４４及び下面吸込口４５から吸い込まれ、吹出流路４８を通って吹出口４６から室内空間ＲＳへと吹き出される。
【００５９】
（２−２−４）フィルタ
空調室内機１００は、２つのフィルタ５０を有する（図５参照）。２つのフィルタ５０は、同様の構造を有する。２つのフィルタ５０は、左右に並べて配置され、室内熱交換器１６を上から囲む（図３、図４参照）。
【００６０】
フィルタ５０は、フィルタ５０を通過する室内空気中の塵埃を捕捉する部材である。フィルタ５０は、上面吸込口４４及び下面吸込口４５から吸い込まれた室内空気中の塵埃を捕捉する。
【００６１】
フィルタ５０に付着した塵埃は、所定のタイミングで、あるいは、リモコン（図示せず）を介したユーザの指令に応じて、後述する掃除ユニット６０により除去されるよう構成されている。また、フィルタ５０は、メンテナンス時に取り外し可能に構成されている。
【００６２】
各フィルタ５０は、図４に示されるように、側面視において、下向きに開口する逆Ｕ字型の形状を有している。言い換えれば、各フィルタ５０は、側面視において、両端（前端及び後端）が下方に配置され、中央部が上方に位置するように屈曲する（図４参照）。各フィルタ５０は、上方から室内熱交換器１６を覆うように配置されている。
【００６３】
各フィルタ５０は、フィルタ本体５１と、内フレーム５２と、前端フレーム５３と、後端フレーム５５と、側方フレーム５４と、を有する（図６参照）。
【００６４】
前端フレーム５３は、フィルタ５０の前端に配置される。前端フレーム５３は、左右方向に延びる。
【００６５】
後端フレーム５５は、フィルタ５０の後端に配置される。後端フレーム５５は、左右方向に延びる。
【００６６】
側方フレーム５４は、フィルタ５０の右端及び左端に配置される。側方フレーム５４は、前端フレーム５３から後端フレーム５５まで、前後方向に延びる（図６参照）。
【００６７】
内フレーム５２は、前後フレーム５２ａと、左右フレーム５２ｂと、を有する。前後フレーム５２ａは、前端フレーム５３から後端フレーム５５まで、前後方向に延びる（図６参照）。左右フレーム５２ｂは、一方側の側方フレーム５４から、他方側の側方フレーム５４まで、左右方向に延びる（図６参照）。なお、図示された前後フレーム５２ａ及び左右フレーム５２ｂの数は、例示であって、これに限定されるものではない。内フレーム５２は、前端フレーム５３、後端フレーム５５、及び側方フレーム５４によって囲まれる開口を複数の区画に分割する。内フレーム５２によって分割された各区画には、フィルタ本体５１が配置される。
【００６８】
フィルタ本体５１は、例えば、樹脂製の糸等で網状に形成されている。フィルタ本体５１には、上面吸込口４４及び下面吸込口４５から吸い込まれた室内空気が通過する。上面吸込口４４及び下面吸込口４５から吸い込まれた室内空気中の塵埃は、フィルタ本体５１の外面により捕捉される。フィルタ５０のフィルタ本体５１を通過した空気は、室内熱交換器１６へと導かれる。
【００６９】
前端フレーム５３及び側方フレーム５４には、複数の凸リブ５４ａが設けられている。複数の凸リブ５４ａは、前後方向に並ぶように配置されている。凸リブ５４ａは、互いに所定の間隔を空けて配置されている。凸リブ５４ａは、後述する掃除ユニット６０の塵埃除去機構７０の状態を、後述する第１状態と第２状態との間で切り換えるために用いられる。凸リブ５４ａの役割については後述する。
【００７０】
前端フレーム５３の左端近傍及び右端近傍には、それぞれ貫通溝５６が形成されている（図６参照）。また、前端フレーム５３の左右方向の中央部には、切欠き５７が形成されている（図６参照）。
【００７１】
フィルタ５０がケーシング４０内に取り付けられる際には、フィルタ５０の側方フレーム５４の後方側が、フィルタ支持フレーム９０に設けられたレール９２に嵌まり込むように、側方フレーム５４が後端フレーム５５側からレール９２に挿し込まれる（図５参照）。また、フィルタ５０がケーシング４内部に取り付けられる際には、フィルタ５０の前端フレーム５３に形成された貫通溝５６に、後述するフィルタ支持フレーム９０に設けられた突起９３が挿し込まれる（図５参照）。側方フレーム５４の後方側がレール９２に係合し、前端フレーム５３に形成された貫通溝５６にフィルタ支持フレーム９０に設けられた突起９３が挿入されることで、フィルタ５０はケーシング４０内の所定位置に配置される。
【００７２】
各フィルタ５０の前端フレーム５３に設けられた切欠き５７には、後述する前方側サブダストボックス８０の後方突出部８３が入り込むよう配置される。フィルタ５０に対し、このように前方側サブダストボックス８０が配置されることで、前端フレーム５３の少なくとも一部が、前方側サブダストボックス８０の後壁８４（図４参照）と接触した状態になる。後述するように、前方側サブダストボックス８０がケーシング４０内部の所定位置に固定されると、フィルタ５０の端部（前端フレーム５３）の前方側への移動は、前方側サブダストボックス８０の後壁８４により規制される。言い換えれば、前方側サブダストボックス８０の後壁８４は、フィルタ５０の端部を係止するフィルタ係止機構として機能する。そして、前方側サブダストボックス８０により、空調室内機１００の運転中に、フィルタ５０が所定位置からずれることが防止される。
【００７３】
（２−２−５）フィルタガイドフレーム
フィルタ支持フレーム９０は、フィルタ５０を主に下方側で支持する。また、フィルタ支持フレーム９０は、フィルタ５０がケーシング４０内の所定位置に配置されるよう、フィルタ５０の配置位置を規定する。
【００７４】
フィルタ支持フレーム９０は、図４に示されるように、側面視において、下向きに開口する逆Ｕ字型の形状を有している。言い換えれば、フィルタ支持フレーム９０は、側面視において、両端（前端及び後端）が下方に配置され、中央部が上方に位置するように屈曲する（図４参照）。フィルタ支持フレーム９０は、その外側の面でフィルタ５０の内側の面を支えるよう、側面視においてフィルタ５０と概ね同一の逆Ｕ字型形状に形成されている。
【００７５】
フィルタ支持フレーム９０には、フィルタ５０がケーシング４０内の所定位置に配置されるよう、フィルタ５０の配置位置を規定するための機構として、レール９２及び突起９３を有する（図５参照）。
【００７６】
レール９２は、フィルタ５０の側方フレーム５４の後端フレーム５５側を所定位置にガイドするようフィルタ支持フレーム９０の上部後方側に設けられている（図５参照）。レール９２は、２つのフィルタ５０の左右両側の側方フレーム５４をガイドするため、各フィルタ５０のそれぞれの側方フレーム５４に対応するよう、計４ヶ所に設けられている（図５参照）。
【００７７】
突起９３は、フィルタ５０の前端側を所定位置にガイドするよう、フィルタ支持フレーム９０の下部前方側に設けられている（図５参照）。突起９３は、前方側に突出するよう設けられている。突起９３は、各フィルタ５０の前端フレーム５３に２箇所ずつ設けられた貫通溝５６と対応する位置に設けられる。つまり、突起９３は、計４箇所に設けられている。各突起９３が、フィルタ５０の対応する貫通溝５６内に挿入されることで、フィルタ５０はケーシング４０内の所定の位置に配置される。
【００７８】
フィルタ支持フレーム９０の後部には、塵埃を受ける後方側サブダストボックス９１が設けられる。後方側サブダストボックス９１は、フィルタ５０の後方端部近傍に配置される（図４参照）。より具体的には、後方側サブダストボックス９１は、掃除ユニット６０の移動方向（後述するように前後方向）における、フィルタ５０の端部近傍に配置される。後方側サブダストボックス９１は、具体的には、フィルタ５０の後端の下方、つまりフィルタ５０の後端フレーム５５の後端の下方に設けられる。ただし、後方側サブダストボックス９１の配置は、これに限定されるものではなく、フィルタ５０の後端に隣接して設けられてもよい。後方側サブダストボックス９１は、ダスト貯留空間９１ａを形成している。ダスト貯留空間９１ａは、図４のように、側断面視において上向きに開口するＵ字型の溝状に形成されている。フィルタ５０に付着した塵埃の一部は、落下して溝状のダスト貯留空間９１ａに捕捉され、塵埃が下面吸込口４５等へと落下することを防止する。
【００７９】
後方側サブダストボックス９１は、着脱不能に構成される。好ましくは、ダスト貯留空間９１ａの塵埃は、掃除機等によって吸引除去可能に構成される。ダスト貯留空間９１ａは、所定期間（例えば１０年間）にダスト貯留空間９１ａに落下すると予想される塵埃を貯留可能な容積を有するよう設計されている。
【００８０】
（２−２−６）掃除ユニット
空調室内機１００は、２つの掃除ユニット６０を有する（図１０Ａ，図１０Ｂ参照）。掃除ユニット６０は、フィルタ５０に沿って移動しながら、フィルタ５０に付着した塵埃を除去する。
【００８１】
各掃除ユニット６０は、概ね直方体状の形状を有する（図７参照）。ケーシング４０内に取り付けられた掃除ユニット６０は、左右方向を長手方向として延びる（図１０Ａ，図１０Ｂ参照）。２つの掃除ユニット６０は、同一の構造・機能を有する。各掃除ユニット６０は、フィルタ５０の一方に対応する。各掃除ユニット６０は、対応するフィルタ５０に隣接して配置される。２つの掃除ユニット６０は、左右に並ぶように配置される（図１０Ａ，図１０Ｂ参照）。
【００８２】
掃除ユニット６０は、前後方向に移動するように、ユニット駆動部６５（図１２参照）により駆動される。掃除ユニット６０は、図１０Ａに実線で記載された最前端位置から、図１０Ａに二点鎖線で記載された最後端位置まで移動可能に構成されている。なお図１０Ａでは、右方側に位置する掃除ユニット６０についてだけ、最後端位置に位置する掃除ユニット６０を二点鎖線で描画している。
【００８３】
各掃除ユニット６０は、ケーシング４０内に取り付けられた状態で掃除ユニット６０の右側壁から右方に延びる挿入部６３及び左側壁から左方に延びる挿入部６３を有する（図７参照）。ユニット駆動部６５は、各掃除ユニット６０について、掃除ユニット６０の右方側の挿入部６３及び左方側の挿入部６３が挿入される掃除ユニット取付部６６を有する（図１２参照）。つまり、ユニット駆動部６５は、合計４つの掃除ユニット取付部６６を有する。掃除ユニット取付部６６は、挿入された挿入部６３を保持するよう構成される。なお、掃除ユニット６０の挿入部６３は、掃除ユニット取付部６６に対して着脱可能に構成されている。つまり、掃除ユニット６０は、着脱可能である。
【００８４】
掃除ユニット６０は、掃除ユニット６０がその可動範囲の前方端部に位置した状態において、掃除ユニット６０の内部に形成される後述するダスト収容部６１が下部に配置されるような姿勢で、掃除ユニット取付部６６に取り付けられる（図４参照）。なお、以下では、図４の状態で下端に配置される掃除ユニット６０の端部を第１端部６２と呼び、図４の状態で上端に配置される掃除ユニット６０の端部を第２端部６４と呼ぶ。
【００８５】
掃除ユニット６０の着脱の際、ユーザは、掃除ユニット６０の第１端部６２に手指を掛けて掃除ユニット６０の着脱作業を行う。ユーザは、特に掃除ユニット６０を掃除ユニット取付部６６から取り外す際には、掃除ユニット６０の第１端部６２に手指を掛けて掃除ユニット６０を掃除ユニット取付部６６から取り外す。つまり、掃除ユニット６０の第１端部６２は、少なくとも掃除ユニット６０の取外し時に手指を掛けるよう構成された把持部である。
【００８６】
掃除ユニット取付部６６は、上向きに開口している。掃除ユニット６０を掃除ユニット取付部６６に取り付ける際には、掃除ユニット６０の挿入部６３が、掃除ユニット取付部６６に上方から挿入される。掃除ユニット６０を掃除ユニット取付部６６から取り外す際には、掃除ユニット６０の挿入部６３が、掃除ユニット取付部６６から抜き出されるように、ユーザは第１端部６２に手指を掛けて掃除ユニット６０を上方に持ち上げる。掃除ユニット６０は、挿入部６３を掃除ユニット取付部６６から取り外し、掃除ユニット６０に設けられた蓋部（図示せず）を開くことで、後述するダスト収容部６１に溜まった塵埃を除去可能に構成されている。
【００８７】
各掃除ユニット取付部６６は、連結部６８を介して、フィルタ５０に沿って前後方向に掛け渡されたワイヤ６７と接続されている（図１２参照）。ワイヤ６７は図示しない滑車に掛け回されている。滑車の１つはモータ６９（図１２参照）と接続され、モータ６９により回動可能に構成されている。モータ６９が駆動されることで、ワイヤ６７と連結された連結部６８が後方又は前方に移動させられる。モータ６９により連結部６８が後方に移動するように駆動されることで、掃除ユニット６０の取り付けられた掃除ユニット取付部６６は、フィルタ５０に沿って後方に移動する。モータ６９により連結部６８が前方に移動するように駆動されることで、掃除ユニット６０の取り付けられた掃除ユニット取付部６６はフィルタ５０に沿って前方に移動する。
【００８８】
なお、ここで説明したユニット駆動部６５の構成は一例であって、ユニット駆動部には、掃除ユニット６０をフィルタ５０に沿って移動させることが可能な各種構成を採用可能である。
【００８９】
以下では、一方側の掃除ユニット６０、特に左側に配置される掃除ユニット６０について図を参照して詳細に説明する。他方側の掃除ユニット６０（右側に配置される掃除ユニット６０）は、同様の構造・機能であるため、説明は省略する。以下の掃除ユニット６０に関する説明の中で言及するフィルタ５０は、特記無き場合、説明を行う掃除ユニット６０に対応するフィルタ５０（左側に配置されるフィルタ５０）を意味している。
【００９０】
掃除ユニット６０は、フィルタ５０に付着した塵埃を除去する。掃除ユニット６０は、フィルタ５０の上方側に配置される。言い換えれば、フィルタ５０は、フィルタ５０の外面側（室内熱交換器１６の配置されていない側）に配置される（図４参照）。掃除ユニット６０は、ユニット駆動部６５（図１２参照）により駆動され、フィルタ５０に沿って移動する。掃除ユニット６０は、フィルタ５０の上方を、前方に向かって（図９の矢印Ａ２参照）、又、後方に向かって（図９の矢印Ａ１参照）移動する。つまり、掃除ユニット６０は、フィルタ５０の外面側を前後に移動する。掃除ユニット６０は、フィルタ５０に沿って移動しながら、フィルタ５０に付着した塵埃を除去する。
【００９１】
掃除ユニット６０は、フィルタ５０に付着した塵埃を除去する塵埃除去機構７０を有する（図４参照）。塵埃除去機構７０は、特にフィルタ５０のフィルタ本体５１に付着した塵埃を除去する。また、掃除ユニット６０は、塵埃除去機構７０により除去された塵埃を収容するダスト収容部６１を有する（図４参照）。塵埃除去機構７０は、除去ブラシ７１及び剥離ブラシ７２を主に有する（図４参照）。
【００９２】
除去ブラシ７１は、フィルタ５０と対向する側に配置される（図４参照）。除去ブラシ７１は左右方向に延びる。除去ブラシ７１は、左右方向に延びる回転軸周りを回動可能に構成されている。除去ブラシ７１は、左右方向に延びるブラシ部７１ａ（図８参照）を有する。除去ブラシ７１の左右の端部には、フィルタ５０側に延びる舌状部７３が設けられている（図７参照）。
【００９３】
ブラシ部７１ａは、側面視において円弧状に形成されている（図８参照）。ブラシ部７１ａは、パイル織物で構成されている。パイル織物は、基布にパイル糸が折り込まれた有毛繊維である。また、ブラシ部７１ａに用いられるパイル織物は、毛並みが一定方向に傾斜する傾斜パイルである。
【００９４】
ブラシ部７１ａは、フィルタ５０のフィルタ本体５１に付着した塵埃を除去可能に構成されている。ブラシ部７１ａがフィルタ５０と接触した状態で、掃除ユニット６０がユニット駆動部６５によって駆動されて後方に向かって移動すると、ブラシ部７１ａがフィルタ５０に付着した塵埃を捕捉するよう構成されている。なお、掃除ユニット６０のブラシ部７１ａは、その掃除ユニット６０が対応するフィルタ５０の側方フレーム５４間の左右方向の距離よりも、左右方向に長く延びる。そのため、ブラシ部７１ａは、フィルタ５０のフィルタ本体５１の全体に付着した塵埃を除去することができる。
【００９５】
塵埃除去機構７０がフィルタ５０に付着した塵埃を除去する時、ブラシ部７１ａは、フィルタ５０と対向する位置に配置され、フィルタ５０と接触する。ここでは、ブラシ部７１ａがフィルタ５０と対向する位置に配置され、フィルタ５０と接触する状態にある時、塵埃除去機構７０は第１状態にあると定義する。
【００９６】
なお、ブラシ部７１ａに塵埃が過度に付着すると、ブラシ部７１ａに付着した塵埃が、逆にフィルタ５０に付着するおそれがある。そこで、ブラシ部７１ａに付着した塵埃は、所定のタイミングで後述する剥離ブラシ７２により除去され、ダスト収容部６１に収容されるよう構成されている。
【００９７】
除去ブラシ７１のブラシ部７１ａに付着した塵埃を除去するため、ブラシ部７１ａを掃除ユニット６０の内部側に格納した時には、ブラシ部７１ａは、一旦、フィルタ５０と対向せず、フィルタ５０と接触しない位置に配置される。ここでは、ブラシ部７１ａがフィルタ５０と対向せず、フィルタ５０と接触しない位置に配置された状態にある時、塵埃除去機構７０は第２状態にあると定義する。
【００９８】
舌状部７３は、塵埃除去機構７０の状態を、第１状態と、第２状態との間で切り換えるために用いられる。舌状部７３は、可塑性の材料、例えばゴム等で作られている。
【００９９】
ブラシ部７１ａがフィルタ５０と対向し接触している状態では（塵埃除去機構７０が第１状態にある時には）、舌状部７３の先端は、図９中に二点鎖線で描画した前向き状態の舌状部７３ｂのように、前方側（第１端部６２側）を向いている。
【０１００】
舌状部７３の先端が前方側を向いている状態で、掃除ユニット６０がユニット駆動部６５によって前方（図９の矢印Ａ２方向）に向かって移動すると、舌状部７３の先端がフィルタ５０に設けられた凸リブ５４ａの１つに突き当てられる。掃除ユニット６０が更に前方（図９の矢印Ａ２方向）に向かって移動すると、凸リブ５４ａにより舌状部７３が押されて除去ブラシ７１が右側面視において反時計方向に回転する。その結果、舌状部７３の先端が、図９中に実線で描画した後向き状態の舌状部７３ａのように、後方側（第２端部６４側）を向いた状態になる。舌状部７３が後方側を向いた状態では、ブラシ部７１ａは掃除ユニット６０の内部に収容され、ブラシ部７１ａはフィルタ５０と対向せず接触しない状態になる。つまり、舌状部７３の先端が前方側を向いている状態で、掃除ユニット６０がユニット駆動部６５によって前方に向かって移動すると、塵埃除去機構７０の状態が、第１状態から第２状態へと切り換えられる。
【０１０１】
なお、舌状部７３の先端が前方側を向いている状態（図９中の前向き状態の舌状部７３ｂ参照）では、図９のような右側面視において、除去ブラシ７１は、それ以上時計方向に回転できない。そのため、前向き状態の舌状部７３ｂは、掃除ユニット６０が後方（図９の矢印Ａ１方向）に向かって移動して凸リブ５４ａに接触しても、除去ブラシ７１は回転しない。この場合、掃除ユニット６０が後方に移動すると、可塑性の材料で作られた舌状部７３は、変形して凸リブ５４ａを乗り越える。また、舌状部７３の先端が前方側を向いている状態で、掃除ユニット６０が後方（図９の矢印Ａ１方向）に向かって移動しても、塵埃除去機構７０の状態は、第１状態から変化しない。
【０１０２】
ブラシ部７１ａがフィルタ５０と接触せず、舌状部７３の先端が後方側（第２端部６４側）を向いている状態（図９中に実線で描画した後向き状態の舌状部７３ａ参照）では、掃除ユニット６０がユニット駆動部６５によって後方（図９の矢印Ａ１方向）に向かって移動すると、舌状部７３の先端がフィルタ５０に設けられた凸リブ５４ａの１つに突き当てられる。掃除ユニット６０が更に後方（図９の矢印Ａ１方向）に向かって移動すると、凸リブ５４ａにより後向き状態の舌状部７３ａが押されて、除去ブラシ７１が右側面視において時計方向に回転する。その結果、図９中の二点鎖線で示した前向き状態の舌状部７３ｂのように、舌状部７３の先端が前方側（第１端部６２側）を向いた状態になる。舌状部７３が前方側を向いた状態では、ブラシ部７１ａはフィルタ５０と対向し接触した状態になる。つまり、舌状部７３の先端が後方側を向いている状態で、掃除ユニット６０がユニット駆動部６５によって後方に向かって移動すると、塵埃除去機構７０の状態が、第２状態から第１状態へと切り換えられる。
【０１０３】
なお、舌状部７３の先端が後方側を向いている状態（図９中の後向き状態の舌状部７３ａ参照）では、図９のような右側面視において、除去ブラシ７１は、それ以上反時計方向に回転できない。そのため、後向き状態の舌状部７３ａは、掃除ユニット６０が前方（図９の矢印Ａ２方向）に向かって移動して凸リブ５４ａに接触しても、除去ブラシ７１は回転しない。この場合、掃除ユニット６０が前方に移動すると、可塑性の材料で作られた舌状部７３は、変形して凸リブ５４ａを乗り越える。また、舌状部７３の先端が後方側を向いている状態で、掃除ユニット６０が前方（図９の矢印Ａ２方向）に向かって移動しても、塵埃除去機構７０の状態は、第２状態から変化しない。
【０１０４】
剥離ブラシ７２は、掃除ユニット６０の内部に配置されている（図８参照）。剥離ブラシ７２は、左右方向に延びる。剥離ブラシ７２は、左右方向に延びるブラシ部７２ａを有する。ブラシ部７２ａは、側面視において、円弧状に形成されている（図８参照）。剥離ブラシ７２のブラシ部７２ａは、除去ブラシ７１のブラシ部７１ａと同様に、パイル織物で構成されている。剥離ブラシ７２のブラシ部７２ａのパイル織物も、毛並みが一定方向に傾斜する傾斜パイルである。円弧状のブラシ部７２ａは、その内面が、回転する除去ブラシ７１の円弧状のブラシ部７１ａの外面と接触するよう構成されている。剥離ブラシ７２のブラシ部７２ａは、回転する除去ブラシ７１のブラシ部７１ａに押し付けられるように、板バネ７２ｂにより力が付与されている（図８参照）。
【０１０５】
剥離ブラシ７２は、以下のようにして、除去ブラシ７１のブラシ部７１ａから塵埃を除去する。
【０１０６】
まず、舌状部７３の先端が第１端部６２側を向いた状態（図９中の前向き状態の舌状部７３ｂ参照）で、掃除ユニット６０がユニット駆動部６５によって前方（図９の矢印Ａ２方向）に向かって移動させられると、除去ブラシ７１が右側面視において反時計方向に回動させられ、除去ブラシ７１のブラシ部７１ａが、掃除ユニット６０の内部に入り込んだ状態となる。つまり、舌状部７３の先端が第１端部６２側を向いた状態で、掃除ユニット６０がユニット駆動部６５によって前方に向かって移動させられると、塵埃除去機構７０の状態が第１状態から第２状態に切り換えられる。次に、舌状部７３の先端が第２端部６４側を向いた状態（図９中の後向き状態の舌状部７３ａ参照）で、掃除ユニット６０がユニット駆動部６５によって後方（図９の矢印Ａ１方向）に向かって移動させられると、除去ブラシ７１のブラシ部７１ａと剥離ブラシ７２のブラシ部７２ａとが接触した状態で、除去ブラシ７１が右側面視において時計方向に回転する。この時、除去ブラシ７１のブラシ部７１ａに付着した塵埃が、剥離ブラシ７２のブラシ部７２ａによって剥離させられ、掃除ユニット６０の下部側（掃除ユニット６０の姿勢によっては前方側）のダスト収容部６１へと落下する（図８参照）。除去ブラシ７１が右側面視において時計方向に回転させられることで、塵埃除去機構７０の状態が第２状態から第１状態に切り換えられ、除去ブラシ７１はフィルタ５０の塵埃を除去可能な状態になる。
【０１０７】
掃除ユニット６０の動き（各運転状態において、掃除ユニット６０が配置される位置）について以下に説明する。
【０１０８】
空調室内機１００の通風運転時には、掃除ユニット６０は、第１ポジションに位置する。図１０Ａは、第１ポジションに位置する掃除ユニット６０を実線で描画している。第１ポジションは、好ましくは掃除ユニット６０の可動範囲の最端位置（最前端位置）である。掃除ユニット６０が、第１ポジションに位置する時には、掃除ユニット６０の少なくとも一部が、前方側サブダストボックス８０の後述するダスト貯留空間８５の内部に収容される。具体的には、掃除ユニット６０が第１ポジションに位置する時には、掃除ユニット６０の下部が、前方側サブダストボックス８０のダスト貯留空間８５の内部に収容される。掃除ユニット６０が第１ポジションに位置する時には、掃除ユニット６０の第１端部６２が、前方側サブダストボックス８０のダスト貯留空間８５の下方を囲む前方側サブダストボックス８０の下面と隣接する（図４参照）。掃除ユニット６０が第１ポジションに位置する時には、掃除ユニット６０の第１端部６２と、前方側サブダストボックス８０との間には、人が手指を挿入可能な隙間が形成されない。前方側サブダストボックス８０は、通風運転時に掃除ユニット６０と隣接する部材である。掃除ユニット６０が第１ポジションに位置する時、掃除ユニット６０は、フィルタ５０の風上側（フィルタ５０の外面側、つまりフィルタ５０に対する室内熱交換器１６の存在する側とは反対側）の、フィルタ５０のフィルタ本体５１に隣接する空間から外れた位置に配置される。言い換えれば、掃除ユニット６０が第１ポジションに位置する時、掃除ユニット６０は、その背面（フィルタ５０側の面）が、フィルタ５０のフィルタ本体５１と対向しない。掃除ユニット６０が第１ポジションに位置する時、掃除ユニット６０は、その背面（フィルタ５０側の面）が、フィルタ５０の前端フレーム５３と対向する。掃除ユニット６０が第１ポジションに位置する時には、フィルタ５０のフィルタ本体５１を通過する空気の流れ方向視における、フィルタ本体５１と掃除ユニット６０との重複面積が概ねゼロとなる。なお、フィルタ本体５１を通過する空気の流れ方向は、フィルタ本体５１の空気のメインの通過方向であって、フィルタ本体５１のフィルタ面に概ね垂直な方向である。
【０１０９】
なお、空調室内機１００の通風運転時に、室内側制御部３４が運転停止指示を受け付けると、室内側制御部３４はユニット駆動部６５を制御し、掃除ユニット６０を第１ポジションから、後述する第２ポジションへと移動させる。なお、ここでの運転停止指示は、直前に図示しないリモコンを介して入力されたものであってもよいし、事前に図示しないリモコンを介して入力された（予約された）ものであってもよい。
【０１１０】
掃除ユニット６０は、空調室内機１００の運転停止時には、第２ポジションに位置する。図１０Ｂ，図１１は、第２ポジションに位置する掃除ユニット６０を描画している。第２ポジションは、掃除ユニット６０の可動範囲の最前端位置（第１ポジション）よりも後方側（上方側）に位置する。掃除ユニット６０が、第２ポジションに位置する時には、掃除ユニット６０は、その全体が前方側サブダストボックス８０のダスト貯留空間８５の外部に配置される。掃除ユニット６０が第２ポジションに位置する時には、掃除ユニット６０の第１端部６２と、前方側サブダストボックス８０との間に、手指を挿入可能な隙間が形成される。より具体的には、掃除ユニット６０が第２ポジションに位置する時には、掃除ユニット６０の第１端部６２と、ダスト貯留空間８５の前方を囲む前方側サブダストボックス８０の前壁８２との間の最大距離Ｂ（図１１参照）が、人の標準的な手指の厚みより大きい。最大距離Ｂは、例えば１５ｍｍ以上であるが、これに限定されるものではない。掃除ユニット６０が第２ポジションに位置する時には、掃除ユニット６０が第１ポジションに位置する時よりも、フィルタ５０のフィルタ本体５１を通過する空気の流れ方向視における、フィルタ本体５１と掃除ユニット６０との重複面積が大きくなる。
【０１１１】
なお、空調室内機１００の運転停止時に、室内側制御部３４が通風運転の開始指示を受け付けると、室内側制御部３４はユニット駆動部６５を制御し、掃除ユニット６０を第２ポジションから第１ポジションへと移動させる。なお、ここでの通風運転の開始指示は、直前に図示しないリモコンを介して入力されたものであってもよいし、事前に図示しないリモコンを介して入力された（予約された）ものであってもよい。
【０１１２】
室内側制御部３４がフィルタ５０の清掃が必要と判断した場合には、ユニット駆動部６５により、以下の様に掃除ユニット６０が移動させられ、フィルタ５０の清掃が行われる。フィルタ５０の清掃が行われる時には、室内ファン３１は運転されない。室内側制御部３４がフィルタ５０の清掃を必要と判断する場合には、例えば、室内側制御部３４が図示しないリモコンを介してユーザのフィルタ清掃指示を受け付けた場合を含む。また、室内側制御部３４がフィルタ５０の清掃を必要と判断する場合には、例えば、室内側制御部３４が、フィルタ５０の清掃実行条件を満たすと判断する場合を含む。フィルタ５０の清掃実行条件は、例えば、フィルタ５０の清掃が前回行われた後の通風運転時間が、所定時間を越えていることである。なお、室内側制御部３４がフィルタ５０の清掃が必要と判断する場合は、上記の場合に限られるものではない。
【０１１３】
例えば、空調室内機１００が運転停止後に、室内側制御部３４がフィルタ５０の清掃が必要と判断した場合には、室内側制御部３４はユニット駆動部６５を制御し、掃除ユニット６０を第２ポジションから第１ポジション（最前端位置）へと移動させる。その後、室内側制御部３４はユニット駆動部６５を制御し、掃除ユニット６０に後退／前進を繰り返させながら、掃除ユニット６０を、掃除ユニット６０の可動範囲の最後端位置まで漸次後退させる。この時、掃除ユニット６０は、除去ブラシ７１のブラシ部７１ａによるフィルタ５０からの塵埃の除去と、塵埃の付着した除去ブラシ７１のブラシ部７１ａからの塵埃の除去とを交互に行いながら、フィルタ５０のフィルタ本体５１の全面を清掃する。掃除ユニット６０が、掃除ユニット６０の可動範囲の最後端位置まで到達すると、室内側制御部３４はユニット駆動部６５を制御して、掃除ユニット６０を第２ポジションへと移動させ、フィルタ５０の清掃を完了する。
【０１１４】
（２−２−７）前方側サブダストボックス
空調室内機１００は、前方側サブダストボックス８０を有する（図５参照）。２つの前方側サブダストボックス８０は、同様の構造を有する。各前方側サブダストボックス８０は、一方のフィルタ５０に対応する。各前方側サブダストボックス８０は、対応するフィルタ５０の、掃除ユニット６０の移動方向（前後方向）における端部近傍に配置される。各前方側サブダストボックス８０は、対応するフィルタ５０の前方端部近傍に配置される。前方側サブダストボックス８０は、フィルタ５０の前端フレーム５３の前方に、前端フレーム５３と隣接して配置される。２つの前方側サブダストボックス８０は、左右に並ぶように配置される（図１０Ａ，図１０Ｂ参照）。
【０１１５】
なお、前方側サブダストボックス８０の配置は、これに限定されるものではない。例えば、前方側サブダストボックス８０を対応するフィルタ５０の前端フレーム５３の前方に配置する代わりに、前方側サブダストボックス８０を対応するフィルタ５０の前端フレーム５３の下方に配置してもよい。
【０１１６】
各前方側サブダストボックス８０は、ダスト貯留空間８５を形成している。ダスト貯留空間８５は、図４のように、側断面視において上向きに開口するＵ字型の溝状に形成されている。ダスト貯留空間８５は、前方側を前壁８２に囲まれ、後方側を後壁８４に囲まれている（図４参照）。前方側サブダストボックス８０は、塵埃が空調室内機１００の隙間等へと落下することを防止する。フィルタ５０に付着した塵埃の一部は、落下してダスト貯留空間８５に捕捉される。ダスト貯留空間８５は、所定期間（例えば１０年間）にダスト貯留空間８５に落下すると予想される塵埃を貯留可能な容積を有するよう設計されている。また、各前方側サブダストボックス８０は、背面側に突出する後方突出部８３を有する（図５参照）。
【０１１７】
前方側サブダストボックス８０は、着脱可能に構成される。前方側サブダストボックス８０を取り外し可能とすることで、ダスト貯留空間８５に貯留された塵埃を除去することが容易である。
【０１１８】
各前方側サブダストボックス８０は、フィルタ支持フレーム９０に取り付けられた対応するフィルタ５０の前端フレーム５３の前方の、前端フレーム５３と隣接する位置（前方側サブダストボックス配置位置）に配置される。前方側サブダストボックス８０を、前方側サブダストボックス配置位置に取り付ける際には、後方突出部８３がフィルタ５０の前端フレーム５３に形成された切欠き５７に入り込む。前方側サブダストボックス配置位置に前方側サブダストボックス８０が配置されると、前端フレーム５３の少なくとも一部が前方側サブダストボックス８０の後壁８４と接触した状態になる。この状態で、前方側サブダストボックス８０の前方の左右端部に設けられたスライド機構８１が操作されると、爪部（図示せず）がフィルタ支持フレーム９０の中央フレーム９４や側方フレーム９５に係合し、前方側サブダストボックス８０がケーシング４０内部の前方側サブダストボックス配置位置に固定される（図５参照）。前方側サブダストボックス８０がケーシング４０内部の前方側サブダストボックス配置位置に固定されることで、フィルタ５０の前端部（前端フレーム５３）の前方側への移動が、前方側サブダストボックス８０の後壁８４により規制される。つまり、前方側サブダストボックス８０は、フィルタ５０の端部を係止するフィルタ係止機構としての後壁８４を有する。そのため、前方側サブダストボックス８０により、空調室内機１００の運転中に、フィルタ５０が所定位置からずれることが防止される。
【０１１９】
（４）特徴
（４−１）
上記実施形態の空調室内機１００は、フィルタ５０と、掃除ユニット６０と、塵埃を受ける塵埃受け部の一例としての前方側サブダストボックス８０及び後方側サブダストボックス９１と、を備える。掃除ユニット６０は、塵埃除去機構７０と、ダスト収容部６１と、を有する。塵埃除去機構７０は、フィルタ５０に付着した塵埃を除去する。ダスト収容部６１は、塵埃除去機構７０により除去された塵埃を収容する。掃除ユニット６０は、フィルタ５０に沿って移動する。前方側サブダストボックス８０は、掃除ユニット６０の移動方向である前後方向における、フィルタ５０の端部近傍（前端近傍）に配置される。後方側サブダストボックス９１は、掃除ユニット６０の移動方向である前後方向における、フィルタ５０の端部近傍（後端近傍）に配置される。前方側サブダストボックス８０は、フィルタ５０の前端に隣接して配置される。後方側サブダストボックス９１は、フィルタ５０の後端の下方に配置される。
【０１２０】
ここでは、掃除ユニット６０のダスト収容部６１に加え、フィルタ５０の端部近傍に配置される塵埃受け部として、前方側サブダストボックス８０及び後方側サブダストボックス９１を備える。そのため、ダスト収容部６１に収容されなかった塵埃も空調室内機１００内の部材間の隙間等に落下させることなく捉えることができ、清掃性に優れた空調室内機１００を実現できる。
【０１２１】
（４−２）
上記実施形態の空調室内機１００では、前方側サブダストボックス８０は、着脱可能に構成される。
【０１２２】
ここでは、前方側サブダストボックス８０が着脱可能に構成されているため、前方側サブダストボックス８０に溜まった塵埃を除去することが容易である。
【０１２３】
ただし、前方側サブダストボックス８０は、着脱可能に構成されている必要はなく、着脱不能に構成されてもよい。
【０１２４】
（４−３）
上記実施形態の空調室内機１００では、後方側サブダストボックス９１は、着脱不能に構成される。
【０１２５】
ここでは、後方側サブダストボックス９１は、が着脱不能に構成されているため、メンテナンス時の後方側サブダストボックス９１は、の取外しが不要で、メンテナンスを簡易化できる。なお、後方側サブダストボックス９１は、後方側サブダストボックス９１に溜まった塵埃を、掃除機等により吸引除去可能に構成されることが好ましい。
【０１２６】
なお、後方側サブダストボックス９１は、着脱可能に構成されてもよい。
【０１２７】
（４−４）
上記実施形態の空調室内機１００では、掃除ユニット６０は、フィルタ５０の上方を前後に移動する。塵埃受け部には、フィルタ５０の前方端部近傍に配置される前方側塵埃受け部の一例としての前方側サブダストボックス８０を含む。
【０１２８】
ここでは、フィルタ５０の前方側に落下する塵埃を、空調室内機１００内の部材間の隙間等に落下させることなく前方側サブダストボックス８０により捉えることができ、清掃性に優れた空調室内機１００を実現できる。
【０１２９】
（４−５）
上記実施形態の空調室内機１００では、掃除ユニット６０が可動範囲の前方側端部に位置する時に、掃除ユニット６０の少なくとも一部が、前方側サブダストボックス８０の内部（ダスト貯留空間８５）に収容される。
【０１３０】
ここでは、掃除ユニット６０が可動範囲の前方側端部に位置する時に、少なくともその一部が前方側サブダストボックス８０の内部に配置される。そのため、塵埃除去機構７０により除去されて掃除ユニット６０に付着した塵埃も、空調室内機１００内の部材間の隙間等に落下させることなく前方側サブダストボックス８０により捉えることができ、清掃性に優れた空調室内機１００を実現できる。
【０１３１】
（４−６）
上記実施形態の空調室内機１００では、掃除ユニット６０は、フィルタ５０の上方を前後に移動する。塵埃受け部には、フィルタ５０の後方端部近傍に配置される後方側サブダストボックス９１を含む。
【０１３２】
ここでは、フィルタ５０の後方側に落下する塵埃を、空調室内機１００内の部材間の隙間等に落下させることなく後方側サブダストボックス９１により捉えることができ、清掃性に優れた空調室内機１００を実現できる。
【０１３３】
（４−７）
上記実施形態の空調室内機１００では、前方側サブダストボックス８０は、フィルタ５０の端部が係止されるフィルタ係止機構として前方側サブダストボックス８０の後壁８４を有する。
【０１３４】
ここでは、前方側サブダストボックス８０にフィルタ５０の端部が係止されるため、前方側サブダストボックス８０とフィルタ５０とを隙間なく配置することが容易である。そのため、塵埃を、空調室内機１００内の部材間の隙間等に落下させることなく前方側サブダストボックス８０により捉えることができ、清掃性に優れた空調室内機１００を実現できる。
【０１３５】
（５）変形例
上記実施形態の変形例を以下に示す。変形例は、互いに矛盾しない範囲で、適宜組み合わされてもよい。
【０１３６】
（５−１）変形例Ａ
上記実施形態では、空調室内機１００は、前方側サブダストボックス８０及び後方側サブダストボックス９１の両方を備えるが、これに限定されるものではない。例えば、空調室内機１００は、前方側サブダストボックス８０及び後方側サブダストボックス９１の一方のみを有するものであってもよい。ただし、空調室内機１００は、前方側サブダストボックス８０及び後方側サブダストボックス９１の両方を備えることが好ましい。
【０１３７】
（５−２）変形例Ｂ
上記実施形態で示した塵埃除去機構７０の構造は、一例であって、これに限定されるものではない。例えば、塵埃除去機構７０は、掃除ユニット６０がフィルタ５０に沿って移動する際に、フィルタ５０に付着した塵埃を除去する清掃部材がモータ等で回転駆動され、回転する清掃部材によりフィルタ５０に付着した塵埃が除去されるように構成されてもよい。その他、塵埃除去機構７０には、各種構造を採用可能である。
【０１３８】
（５−３）変形例Ｃ
上記実施形態で示した前方側サブダストボックス８０は、フィルタ５０の端部を係止するよう構成されるが、これに限定されるものではない。フィルタ５０は、前方側サブダストボックス８０以外の部材により係止されるよう構成されてもよい。ただし、上記実施形態のように、前方側サブダストボックス８０にフィルタ５０の端部が係止されるように構成することで、前方側サブダストボックス８０とフィルタ５０とを隙間なく配置することが容易である。
【０１３９】
（５−４）変形例Ｄ
上記実施形態の空調室内機１００では、掃除ユニット６０が可動範囲の前方側端部に位置する時に、掃除ユニット６０の一部（掃除ユニット６０の下部）が、前方側サブダストボックス８０の内部（ダスト貯留空間８５）に収容されるが、これに限定されるものではない。
【０１４０】
例えば、掃除ユニット６０は、掃除ユニット６０が可動範囲の前方側端部に位置する時に、その全体がダスト貯留空間８５に収容されるよう構成されてもよい。
【０１４１】
また、例えば、掃除ユニット６０は、掃除ユニット６０が可動範囲の前方側端部に位置する時にも、ダスト貯留空間８５外に配置されるよう構成されてもよい。ただし、掃除ユニット６０は、掃除ユニット６０が可動範囲の前方側端部に位置する時に、掃除ユニット６０の少なくとも一部、特に下部側が、前方側サブダストボックス８０の内部（ダスト貯留空間８５）に収容されることが好ましい。
【０１４２】
（５−５）変形例Ｅ
上記実施形態では、空調室内機１００は、フィルタ５０、掃除ユニット６０、及び、前方側サブダストボックス８０をそれぞれ２つ備えるが、これらの数は例示であって、これに限定されるものではない。例えば、空調室内機１００は、フィルタ５０、掃除ユニット６０、及び、前方側サブダストボックス８０をそれぞれ１つ備えるものであってもよいし、フィルタ５０、掃除ユニット６０、及び、前方側サブダストボックス８０を３つ以上備えるものであってもよい。
【０１４３】
また、フィルタ５０、掃除ユニット６０、及び、前方側サブダストボックス８０は、全て同数である必要はない。例えば、空調室内機１００は、フィルタ５０及び掃除ユニット６０を２つ、前方側サブダストボックス８０を１つ備えるものであってもよい。そして、１つの前方側サブダストボックス８０が、２つのフィルタ５０の端部近傍に配置されるよう構成されてもよい。
【産業上の利用可能性】
【０１４４】
本発明に係る空調室内機は、清掃性に優れた空調室内機として有用である。
【符号の説明】
【０１４５】
５０  フィルタ
５３  前端フレーム（フィルタの端部）
６０  掃除ユニット
６１  ダスト収容部
７０  塵埃除去機構
８０  前方側サブダストボックス（前方側塵埃受け部）
８４  後壁（フィルタ係止機構）
９１  後方側サブダストボックス（後方側塵埃受け部）
１００  空調室内機
【先行技術文献】
【特許文献】
【０１４６】
【特許文献１】特開２００８−２９９１２号公報
【図１】
0006369439.tif 000002
【図２】
0006369439.tif 000003
【図３】
0006369439.tif 000004
【図４】
0006369439.tif 000005
【図５】
0006369439.tif 000006
【図６】
0006369439.tif 000007
【図７】
0006369439.tif 000008
【図８】
0006369439.tif 000009
【図９】
0006369439.tif 000010
【図１０Ａ】
0006369439.tif 000011
【図１０Ｂ】
0006369439.tif 000012
【図１１】
0006369439.tif 000013
【図１２】
0006369439.tif 000014